(57)【要約】【課題】  映像を切り換えても映像がとぎれることのない映像伝送装置を提供する。【解決手段】  ディジタル映像信号をアナログ映像信号にそれぞれ変換する２つのデコーダＤｅ１，Ｄｅ２を備え、一方のデコーダにて復元したアナログ映像信号をアナログビデオスイッチャＳＷ１を通じて外部に出力して、出力している間に、残る一方のデコーダを用いて、他のカメラにて撮影したデジタル映像信号をアナログ映像信号に復元しておき、これをアナログビデオスイッチャＳＷ１を切換制御して、選択的に出力させるようにしたものである。【選択図】    図１
2006042383.tif 000002
【特許請求の範囲】
【請求項１】
ディジタル映像信号をアナログ映像信号に変換する複数のアナログ変換手段と、
前記複数のアナログ変換手段で変換されたアナログ映像信号が入力され、いづれかのアナログ映像信号を出力する信号選択手段とを具備したことを特徴とする映像伝送装置。
【発明の詳細な説明】
【技術分野】
【０００１】
この発明は、複数のカメラで撮影された映像を、それぞれディジタルデータに変換して伝送して復号し、選択的にモニタに撮像した映像を表示する映像監視システムに用いられる映像伝送装置に関する。
【背景技術】
【０００２】
周知のように、従来の映像監視システムは、図５に示すように、複数のカメラＣａ１〜Ｃａｎにて撮影されたアナログ映像信号が、それぞれ対応するコーダ（ＣＯＤ）Ｃｏ１〜Ｃｏｎにて符号化されてディジタルデータとなり、ディジタルネットワークＤＮＷを通じて、対応するデコーダ（ＤＥＣ）Ｄｅ１〜Ｄｅｎまで伝送される。
【０００３】
そして、各デコーダ（ＤＥＣ）Ｄｅ１〜Ｄｅｎは、入力されたディジタルデータを、アナログ映像信号に復号し、アナログビデオスイッチャ（Ａ−ＶＳＷ）ＳＷ０に入力する。アナログビデオスイッチャＳＷ０は、アナログ映像信号を選択的にモニタＭに入力して、モニタＭに映像を表示させる。
【０００４】
このような構成の従来の映像監視システムは、コーダＣｏ１〜Ｃｏｎと同じ数のデコーダＤｅ１〜Ｄｅｎが必要となるため、ハードウエア規模が大きく、コストも大きかった。
【０００５】
また、これに対して従来では、図６に示すような、映像監視システムも考えられている。
【０００６】
この、映像監視システムでは、複数のカメラＣａ１〜Ｃａｎにて撮影されたアナログ映像信号が、それぞれ対応するコーダ（ＣＯＤ）Ｃｏ１〜Ｃｏｎにて符号化されてディジタルデータとなり、ディジタルネットワークＤＮＷ上で選択的に１つのデコーダ（ＤＥＣ）Ｄｅ１まで伝送される。
【０００７】
このようなシステムでは、図５のシステムに比べ、ハード規模は縮小されるものの、映像の切り換え時に、コーダ（Ｃｏ１〜Ｃｏｎ）とデコーダＤｅ１との間の同期が確立するまでの間、映像がとぎれて、映像の監視ができなくなるという問題がある。通常、映像監視システムでは、自動的に連続して映像の切換を行うため、この問題は顕著となる。
【発明の開示】
【発明が解決しようとする課題】
【０００８】
従来の映像監視システムでは、ハードウエア規模が大きかったり、映像の切り換え時に映像がとぎれるという問題があった。
【０００９】
この発明は上記の問題を解決すべくなされたもので、映像を切り換えても映像がとぎれることのない映像伝送装置を提供することを目的とする。
【課題を解決するための手段】
【００１０】
上記の目的を達成するために、この発明は、ディジタル映像信号をアナログ映像信号に変換する複数のアナログ変換手段と、前記複数のアナログ変換手段で変換されたアナログ映像信号が入力され、いづれかのアナログ映像信号を出力する信号選択手段とを具備して構成するようにした。
【００１１】
上記構成の映像伝送装置によれば、信号選択手段の切り換えに先立ち、アナログ映像信号への変換を行なうことができるので、映像がとぎれることなく映像を切り換えることができる。
【発明の効果】
【００１２】
以上のように、この発明によれば、映像がとぎれることなく映像を切り換えることができる映像伝送装置を提供できる。
【発明を実施するための最良の形態】
【００１３】
以下、図面を参照して、この発明の一実施形態について説明する。
【００１４】
図１は、この発明の一実施形態に係わる映像監視システムの構成を示すものである。但し、図１において、従来の映像監視システムの構成を示す図５および図６と同一部分には同一符号を付して示す。
【００１５】
この映像監視システムは、複数のカメラＣａ１〜Ｃａｎ、コーダ（ＣＯＤ）Ｃｏ１〜Ｃｏｎ、ディジタルネットワークＤＮＷ、デコーダ（ＤＥＣ）Ｄｅ１，Ｄｅ２、アナログビデオスイッチャ（Ａ−ＶＳＷ）ＳＷ１、モニタＭおよび制御装置Ｃ１を備える。
【００１６】
複数のカメラＣａ１〜Ｃａｎにて撮影されたアナログ映像信号は、それぞれ対応するコーダＣｏ１〜Ｃｏｎにて符号化されてディジタルデータとなり、ディジタルネットワークＤＮＷに入力される。
【００１７】
ディジタルネットワークＤＮＷは、後述の制御装置Ｃ１により制御され、コーダＣｏ１〜Ｃｏｎにて符号化されたディジタルデータを選択的にデコーダＤｅ１，Ｄｅ２に入力する。
【００１８】
デコーダＤｅ１，Ｄｅ２は、入力されたディジタルデータを、アナログ映像信号に復号し、アナログビデオスイッチャＳＷ１に入力する。アナログビデオスイッチャＳＷ１は、制御装置Ｃ１により制御され、アナログ映像信号を選択的にモニタＭに入力して、モニタＭに映像を表示させる。
【００１９】
制御装置Ｃ１は、予め設定された時間が経過した際に、あるいは当該システムのオペレータからの要求に応じて、ディジタルネットワークＤＮＷおよびアナログビデオスイッチャＳＷ１を制御し、モニタＭに表示する映像を切換制御するものである。
【００２０】
次に、図２を参照して、上記構成の映像監視システムの表示映像の切り換え動作について説明する。この動作は、制御装置Ｃ１の制御により行われる。
【００２１】
まず、ステップ２ａでは、初期状態として、ディジタルネットワークＤＮＷがコーダＣｏ１と、デコーダＤｅ１とを接続するとともに、アナログビデオスイッチャＳＷ１がデコーダＤｅ１とモニタＭとを接続し、ステップ２ｂに移行する。
【００２２】
これにより、カメラＣａ１にて撮影され、コーダＣｏ１にてデジタル化された映像信号が、ディジタルネットワークＤＮＷを通じてデコーダＤｅ１に入力されて、再びアナログ映像信号に復元される。そして、このアナログ映像信号は、アナログビデオスイッチャＳＷ１を通じてモニタＭに入力されて、ここに表示される。
【００２３】
そして、ステップ２ｂでは、ステップ２ａの接続を保持したまま、ディジタルネットワークＤＮＷがコーダＣｏ２と、デコーダＤｅ２とを接続し、ステップ２ｃに移行する。
【００２４】
これにより、カメラＣａ２にて撮影され、コーダＣｏ２にてデジタル化された映像信号が、ディジタルネットワークＤＮＷを通じてデコーダＤｅ２に入力されて、再びアナログ映像信号に復元される。
【００２５】
そして、ステップ２ｃでは、所定の保留時間が経過するのを待機し、保留時間が経過すると、ステップ２ｄに移行する。なお、ここで、上記保留時間は、ステップ２ｂにおけるディジタルネットワークＤＮＷのパス確立に要する時間と、コーダ−デコーダ間の同期確立遅延時間が考慮されて設定されて、予め設定されるものである。
【００２６】
ステップ２ｄでは、アナログビデオスイッチャＳＷ１がデコーダＤｅ１に代わって、デコーダＤｅ２をモニタＭに接続し、ステップ２ｅに移行する。これにより、モニタＭには、ステップ２ｃにてコーダＣｏ２−デコーダＤｅ２間の同期確立がなされているため、カメラＣａ２にて撮影された映像が上記切り換え接続と同時に、表示される。
【００２７】
ステップ２ｅでは、ステップ２ｄで確立したパスを保持したまま、ディジタルネットワークＤＮＷがコーダＣｏ１と、デコーダＤｅ１との接続を切断し、ステップ２ｆに移行する。
【００２８】
ステップ２ｆでは、ディジタルネットワークＤＮＷがコーダＣｏ３と、デコーダＤｅ１とを接続し、ステップ２ｇに移行する。
【００２９】
これにより、カメラＣａ３にて撮影され、コーダＣｏ３にてデジタル化された映像信号が、ディジタルネットワークＤＮＷを通じてデコーダＤｅ１に入力されて、再びアナログ映像信号に復元される。
【００３０】
そして、ステップ２ｇでは、所定の保留時間が経過するのを待機し、保留時間が経過すると、ステップ２ｈに移行する。なお、ここで、上記保留時間は、ステップ２ｃの保留時間と同様に、ステップ２ｆにおけるディジタルネットワークＤＮＷのパス確立に要する時間と、コーダ−デコーダ間の同期確立遅延時間が考慮されて設定されて、予め設定されるものである。
【００３１】
ステップ２ｈでは、アナログビデオスイッチャＳＷ１がデコーダＤｅ２に代わって、デコーダＤｅ１をモニタＭに接続し、ステップ２ｉに移行する。これにより、モニタＭには、ステップ２ｆにてコーダＣｏ３−デコーダＤｅ１間の同期確立がなされているため、カメラＣａ３にて撮影された映像が上記切り換え接続と同時に、表示される。
【００３２】
ステップ２ｉでは、ステップ２ｈで確立したパスを保持したまま、ディジタルネットワークＤＮＷがコーダＣｏ２と、デコーダＤｅ２との接続を切断する。
【００３３】
以後、このような切換制御を、残るカメラＣａ４からカメラＣａｎについて行い、ステップ２ｊに移行する。
【００３４】
ステップ２ｊでは、表示切り換え処理を終了する要求の有無を監視し、ここで、要求がない場合には、再びステップ２ｂに移行し、一方、要求があった場合には、ステップ２ｋに移行する。
【００３５】
ステップ２ｋでは、現在ディジタルネットワークＤＮＷが接続しているパスをすべて切断するとともに、アナログビデオスイッチャＳＷ１が接続しているパスを切断し、当該処理を終了する。
【００３６】
以上のように、上記構成の映像監視システムでは、２つのデコーダＤｅ１，Ｄｅ２を備え、一方のデコーダにて復元したアナログ映像信号を表示している間に、残る一方のデコーダを用いて、他のカメラにて撮影しデジタル化された信号をアナログ映像信号に復元しておき、これをアナログビデオスイッチャＳＷ１で選択的にモニタＭに入力するようにしている。
【００３７】
したがって、上記構成の映像監視システムによれば、アナログビデオスイッチャＳＷ１における切り換えに先立ち、他のカメラにて撮影しデジタル化された信号をアナログ映像信号に復元するようにしているので、２つのデコーダを備えるに過ぎないのに、映像を切り換えても映像がとぎれることがない。
【００３８】
つまり、２つのデコーダＤｅ１，Ｄｅ２を備え、一方のデコーダにて復元したアナログ映像信号を表示している間に、残る一方のデコーダを用いて、デジタル化された信号をアナログ映像信号に復元しておき、これをアナログビデオスイッチャＳＷ１で選択的に出力する映像伝送装置の存在により上記機能が実現されている。
【００３９】
尚、この発明は上記実施の形態に限定されるものではない。例えば、上記実施の形態では、モニタＭの数を１台としたが、複数であってもよい。但しこの場合には、図３に示すように、モニタがｍ台（Ｍ１〜Ｍｍ）であったとすると、デコーダの数をｍ＋１個（Ｄｅ１〜Ｄｅｍ＋１）とする。
【００４０】
このような構成であっても、制御装置Ｃ２の制御により、モニタが接続されない残る１個のデコーダにて、アナログビデオスイッチャＳＷ２における切り換えに先立ち、他のカメラにて撮影しデジタル化された信号をアナログ映像信号に復元することができる。このため、モニタ台数ｍ＋１つのデコーダを備えるに過ぎないのに、映像を切り換えても映像がとぎれることがない。
【００４１】
さらにまた、図４に示すように、モニタ（Ｍ１〜Ｍｍ）１台につき、アナログビデオスイッチャ（ＳＷ１〜ＳＷｍ）１個と、デコーダ（Ｄｅ１〜Ｄｅ２ｍ）２個を割り当てて構成してもよい。
【００４２】
この場合は、制御装置Ｃ３の制御により、各モニタが一方のデコーダにて復元されたアナログ映像信号の表示中に、残るデコーダが他のカメラにて撮影しデジタル化された信号をアナログ映像信号に復元する。これにより、モニタ間で、非同期に映像を切り換えることができる。
【００４３】
その他、この発明の要旨を逸脱しない範囲で種々の変形を施しても同様に実施可能であることはいうまでもない。
【図面の簡単な説明】
【００４４】
【図１】この発明に係わる映像監視システムの一実施の形態の構成を示す回路ブロック図。
【図２】図１に示した映像監視システムの映像切換制御を説明するためのフローチャート。
【図３】この発明に係わる映像監視システムの一実施の形態の他の構成を示す回路ブロック図。
【図４】この発明に係わる映像監視システムの一実施の形態の他の構成を示す回路ブロック図。
【図５】従来の映像監視システムの構成を示す回路ブロック図。
【図６】従来の映像監視システムの構成を示す回路ブロック図。
【符号の説明】
【００４５】
Ｃａ１〜Ｃａｎ・・・カメラ
Ｃｏ１〜Ｃｏｎ・・・コーダ（ＣＯＤ）
ＤＮＷ・・・ディジタルネットワーク
Ｄｅ１，Ｄｅ２〜Ｄｅｍ＋１〜Ｄｅ２ｍ・・・デコーダ（ＤＥＣ）
ＳＷ１，ＳＷ２〜ＳＷｍ・・・アナログビデオスイッチャ
Ｍ，Ｍ１〜Ｍｍ・・・モニタ
Ｃ１，Ｃ２，Ｃ３・・・制御装置
【図１】
2006042383.tif 000003
【図２】
2006042383.tif 000004
【図３】
2006042383.tif 000005
【図４】
2006042383.tif 000006
【図５】
2006042383.tif 000007
【図６】
2006042383.tif 000008